(57)【要約】【課題】断水等の水道圧が得られない場合であっても、浴槽に湯水を給湯することが可能な貯槽システムを提供する。【解決手段】貯槽システム１は、太陽熱を利用して加熱された湯水を貯湯する貯湯槽１０と、貯湯槽１０に冷水を供給する給水配管１３と、貯湯槽１０内の湯水を浴槽まで導く給湯配管１４と、浴槽内の湯水を貯湯槽１０内の湯水と熱交換する第２熱交換器１５と、浴槽内の湯水を第２熱交換器１５へ供給すると共に第２熱交換器１５を経た湯水を再度浴槽内に戻す熱回収配管１６及びポンプ１７と、一端が貯湯槽１０側に接続され他端が熱回収配管１６のうちポンプ１７の設置個所の上流側に接続された分岐配管１８と、分岐配管１８の他端側に設けられ、分岐配管１８を介して湯水を第２熱交換器１５に供給する第１ルートと、浴槽内の湯水を第２熱交換器１５に供給する第２ルートとを切替可能な切替弁１９と、を備える。【選択図】図１
2015040686.tif 000002
【特許請求の範囲】
【請求項１】
再生可能エネルギーを利用して加熱された湯水を貯湯する貯湯槽と、
前記貯湯槽に冷水を供給する給水配管と、
前記貯湯槽内の湯水を浴槽まで導く給湯配管と、
浴槽内の湯水を前記貯湯槽内の湯水と熱交換する熱交換器と、
浴槽内の湯水を前記熱交換器へ供給すると共に前記熱交換器を経た湯水を再度浴槽内に戻す流路となる循環配管と、
湯水を前記熱交換器へ供給すると共に前記熱交換器を経た湯水を再度浴槽内に戻す動力となるポンプと、を備えた貯湯システムであって、
一端が前記貯湯槽側に接続され他端が前記循環配管のうち前記ポンプの設置個所の上流側に接続された分岐配管と、
前記分岐配管の他端側に設けられ、前記分岐配管を介して湯水を前記熱交換器に供給する第１ルートと、前記浴槽内の湯水を前記熱交換器に供給する第２ルートとを切替可能な切替弁と、
を備えることを特徴とする貯槽システム。
【請求項２】
前記分岐配管は、一端が前記貯湯槽の底面、又は、前記貯湯槽の底面に接続される前記給水配管に接続されている
ことを特徴とする請求項１に記載の貯槽システム。
【請求項３】
前記熱交換器は、前記貯湯槽上部の湯水と浴槽内の湯水とを熱交換するように設けられている
ことを特徴とする請求項１又は請求項２のいずれかに記載の貯槽システム。
【発明の詳細な説明】
【技術分野】
【０００１】
本発明は、貯槽システムに関する。
【背景技術】
【０００２】
従来、貯湯槽にて貯湯される湯水を直接浴槽に給湯すると共に、浴槽内の湯水と貯湯槽内の湯水との熱交換を行って貯湯槽内の湯水を加熱する貯槽システムが提案されている。この貯槽システムは、湯水を蓄える貯湯槽と、貯湯槽内に設けられた熱交換器と、ポンプとを備え、ポンプにより浴槽内の湯水を熱交換器に供給して貯湯槽内の湯水と熱交換することにより、浴槽内の残湯から熱を回収するようにしている（例えば特許文献１，２の図１及び図２参照）。さらに、熱交換器を貯湯槽の外部に備え、貯湯槽内の湯水を熱交換器に供給することで、浴槽内から熱交換器に供給される湯水と熱交換する貯槽システムについても提案されている（例えば特許文献１，２の図３〜図６参照）。
【０００３】
また、このような貯槽システムは、水道配管の冷水を貯湯槽に供給する冷水配管と、貯湯槽内の湯水を浴槽に供給する給湯配管とを備えている。貯湯槽内の加熱された湯水は水道圧によって押し出されるようにして、浴槽内に供給される。すなわち、貯湯槽内の湯水を給湯配管を通じて家庭内等に供給する場合には、冷水配管から貯湯槽内に冷水を供給する水道圧により貯湯槽内の湯水を押し出して家庭内に供給することとなる。
【先行技術文献】
【特許文献】
【０００４】
【特許文献１】特許第３８５６０３３号公報
【特許文献２】特開２００５−１４７６６２号公報
【発明の概要】
【発明が解決しようとする課題】
【０００５】
しかし、上記特許文献１，２に記載の貯槽システムでは、断水等により水道圧が無くなると、貯湯槽から浴槽に湯水を供給することができなくなってしまう。ここで、貯湯槽の下部には排水口が設けられることがあり、断水等の際には排水口が開けられることにより、手動にて湯水が取り出されるようになっているが、この場合、排水口を介して取り出された湯水を浴槽に持ち運び、お湯張りをすることとなり、非常に手間となってしまう。
【０００６】
本発明はこのような従来の課題を解決するためになされたものであり、その目的とするところは、断水等の水道圧が得られない場合であっても、浴槽に湯水を給湯することが可能な貯槽システムを提供することにある。
【課題を解決するための手段】
【０００７】
本発明の貯槽システムは、再生可能エネルギーを利用して加熱された湯水を貯湯する貯湯槽と、前記貯湯槽に冷水を供給する給水配管と、前記貯湯槽内の湯水を浴槽まで導く給湯配管と、浴槽内の湯水を前記貯湯槽内の湯水と熱交換する熱交換器と、浴槽内の湯水を前記熱交換器へ供給すると共に前記熱交換器を経た湯水を再度浴槽内に戻す流路となる循環配管と、湯水を前記熱交換器へ供給すると共に前記熱交換器を経た湯水を再度浴槽内に戻す動力となるポンプと、を備えた貯湯システムであって、一端が前記貯湯槽側に接続され他端が前記循環配管のうち前記ポンプの設置個所の上流側に接続された分岐配管と、前記分岐配管の他端側に設けられ、前記分岐配管を介して湯水を前記熱交換器に供給する第１ルートと、前記浴槽内の湯水を前記熱交換器に供給する第２ルートとを切替可能な切替弁と、を備えることを特徴とする。
【０００８】
本発明の貯槽システムによれば、一端が貯湯槽側に接続され他端が循環配管のうちポンプの設置個所の上流側に接続された分岐配管と、分岐配管の他端側に設けられ、分岐配管を介して湯水を熱交換器に供給する第１ルートと、浴槽内の湯水を熱交換器に供給する第２ルートとを切替可能な切替弁とを備える。このため、断水時には切替弁により第１ルートを選択してポンプを駆動させることで、分岐配管を通じて貯湯槽側の湯水が循環配管に至り、循環配管から浴槽内に供給されることとなる。よって、断水等の水道圧が得られない場合であっても、浴槽に湯水を給湯することができる。
【０００９】
特に、貯湯槽は再生可能エネルギーを利用して湯水を加熱することから、断水時であっても貯湯槽内の湯水は加熱可能であり、加熱された湯水を浴槽内に提供することができる。また、ポンプ等は既存の貯槽システムに備えられているものであることから、既存のシステムに分岐配管と切替弁とを新たに追加すればよく、既存の構成を利用して比較的安価に上記貯槽システムを実現することができる。
【００１０】
また、本発明の貯槽システムにおいて、前記分岐配管は、一端が前記貯湯槽の底面、又は、前記貯湯槽の底面に接続される前記給水配管に接続されていることが好ましい。
【００１１】
この貯槽システムによれば、分岐配管は、一端が貯湯槽の底面、又は、貯湯槽の底面に接続される給水配管に接続されているため、大気圧により貯湯槽内の湯水を押し出すことができると共に、分岐配管の一端を貯湯槽の側面に取り付けた場合のように取付箇所の下側の湯水を利用できなくなってしまう事態を防止することができる。
【００１２】
また、本発明の貯槽システムにおいて、前記熱交換器は、前記貯湯槽上部の湯水と浴槽内の湯水とを熱交換するように設けられていることが好ましい。
【００１３】
この貯槽システムによれば、熱交換器は、貯湯槽上部の湯水と浴槽内の湯水とを熱交換するように設けられている。すなわち、熱交換器自体が貯湯槽上部に設けられていたり、熱交換器が貯湯槽上部の湯水を引き込む構成となっている。ここで、貯湯槽は再生可能エネルギーを利用して湯水を加熱することから、断水時であっても貯湯槽上部の湯水は加熱されており、このような湯水と浴槽内の湯水を熱交換することにより、浴槽内の湯水を追い焚きすることができる。
【００１４】
なお、上記において湯水とはあらゆる温度の湯又は水を意味するものである。また、冷水とは温度範囲が限定されるものではない。
【発明の効果】
【００１５】
本発明によれば、断水等の水道圧が得られない場合であっても、浴槽に湯水を給湯することが可能な貯槽システムを提供することができる。
【図面の簡単な説明】
【００１６】
【図１】本発明の実施形態に係る貯槽システムの概略構成図である。
【図２】本実施形態に係る貯槽システムの動作を示す図であって、断水等がない平常時における動作を示している。
【図３】本実施形態に係る貯槽システムの動作を示す図であって、災害時などの断水が発生したときの動作を示している。
【図４】第２実施形態に係る貯槽システムの概略構成図である。
【図５】第２実施形態に係る貯槽システムの動作を示す図であって、断水等がない平常時における動作を示している。
【図６】第２実施形態に係る貯槽システムの動作を示す図であって、災害時などの断水が発生したときの動作を示している。
【図７】第３実施形態に係る貯槽システムの概略構成図である。
【図８】第３実施形態に係る貯槽システムの動作を示す図であって、断水等がない平常時における動作を示している。
【図９】第３実施形態に係る貯槽システムの動作を示す図であって、災害時などの断水が発生したときの動作を示している。
【発明を実施するための形態】
【００１７】
以下、本発明の好適な実施形態を図面に基づいて説明する。図１は、本発明の実施形態に係る貯槽システムの概略構成図である。図１に示すように、本実施形態に係る貯槽システム１は、貯湯槽１０と、第１熱交換器１１と、集熱器１２と、給水配管１３と、給湯配管１４とを備えている。
【００１８】
貯湯槽１０は、太陽熱（再生可能エネルギー）を利用して冷水を加熱する第１熱交換器１１を有している。集熱器１２は、太陽熱を利用して熱媒を加熱するものであって、例えば屋根の上などの太陽光を受光し易い位置に設置されるものである。このような集熱器１２は、不図示のポンプが駆動することにより、加熱した熱媒を第１熱交換器１１に供給する。第１熱交換器１１は、集熱器１２によって加熱された熱媒と、貯湯槽１０内の湯水とを熱交換して、湯水を加熱する。また、湯水と熱交換して冷却した熱媒はポンプによって再度集熱器１２に供給される。
【００１９】
給水配管１３は、貯湯槽１０の下部と水道管とを接続する配管であり、水道圧を利用して冷水を貯湯槽１０内に供給する。給湯配管１４は、貯湯槽１０から排出される湯水を浴槽まで導くものであって、一端が貯湯槽１０の上部に接続されており、他端が浴槽側に接続されている。
【００２０】
このような貯槽システム１では、貯湯槽１０内の湯水を浴槽側に供給する場合、給水配管１３から貯湯槽１０内に冷水を引き込む。これにより、水道圧によって貯湯槽１０内の湯水が押し出されるようにして給湯配管１４を流通し、浴槽側に湯水が供給される。
【００２１】
さらに、本実施形態に係る貯槽システム１は、第２熱交換器（熱交換器）１５と、熱回収配管（循環配管）１６と、ポンプ１７とを備えている。第２熱交換器１５は、浴槽内の湯水を貯湯槽１０内の湯水と熱交換するものであって、貯湯槽１０の下部に設けられている。熱回収配管１６は、一端が浴槽側に接続され、他端が第２熱交換器１５に接続された行き配管１６ａと、一端が第２熱交換器１５に接続され、他端が浴槽側に接続された戻り配管１６ｂとを備えている。この熱回収配管１６は、行き配管１６ａを通じて浴槽内の湯水を第２熱交換器１５に供給すると共に、第２熱交換器１５を経た湯水を戻り配管１６ｂを通じて浴槽内に戻すこととなる。ポンプ１７は、熱回収配管１６上（特に行き配管１６ａ上）に設けられ、湯水を第２熱交換器１５に供給すると共に、第２熱交換器１５を経た湯水を浴槽内に戻す動力となるものである。
【００２２】
このような構成を有するため、貯槽システム１は、ポンプ１７を駆動することにより、浴槽内の残湯を第２熱交換器１５に供給し、貯湯槽１０内の湯水と熱交換を行うことにより、浴槽内の残湯から熱を回収して貯湯槽１０内の湯水の昇温に利用することとしている。なお、第２熱交換器１５にて熱が回収された湯水は、再度浴槽内に戻されることとなる。
【００２３】
しかし、断水等によって水道圧が得られない場合、給湯配管１４を通じて浴槽内に湯水を提供できなくなってしまう。すなわち、お湯張りできなくなってしまう。そこで、本実施形態に係る貯槽システム１は、分岐配管１８と、三方弁（切替弁）１９とを備えている。分岐配管１８は、一端が貯湯槽１０側に接続され、他端が熱回収配管１６のうちポンプ１７の設置個所の上流側に接続されている。
【００２４】
三方弁１９は、分岐配管１８の他端側、すなわち熱回収配管１６上に設けられており、第１ルートと第２ルートを切替可能なものである。ここで、第１ルートとは、分岐配管１８を介して湯水を第２熱交換器１５に供給するルートであり、第２ルートとは、浴槽内の湯水を第２熱交換器１５に供給するルートである。
【００２５】
このような構成を有するため、本実施形態に係る貯槽システム１は、第２ルートを選択することにより、浴槽内の残湯を第２熱交換器１５に供給して熱を回収させると共に、第１ルートを選択することにより、貯湯槽１０内の湯水を分岐配管１８から引き込んで第２熱交換器１５を経由して浴槽に湯水を供給することができる。ここで、集熱器１２は太陽熱を利用して湯水を加熱するものであることから、例えば災害時に断水が発生した場合であっても電源が確保されていれば、貯湯槽１０内の湯水を加熱することができ、浴槽には加熱された湯水を供給することができる。
【００２６】
なお、分岐配管１８は、貯湯槽１０の底面に接続される給水配管１３に接続されている。このため、貯湯槽１０内の湯水を大気圧によって押し出すことができると共に、分岐配管１８の一端を貯湯槽１０の側面に取り付けたときのように取付箇所の下側の湯水を利用できなくなってしまう事態を防止することができる。ここで、図１において分岐配管１８は、給水配管１３に接続されているが、これに限らず、貯湯槽１０の底面に接続されていてもよい。
【００２７】
次に、本実施形態に係る貯槽システム１の動作を説明する。図２は、本実施形態に係る貯槽システム１の動作を示す図であって、断水等がない平常時における動作を示している。なお、図２に示す太線の配管は湯水が流通する経路を示している。
【００２８】
まず、貯湯槽１０においては、不図示の温度センサからの信号に応じてポンプが動作し、ポンプによって熱媒が熱交換器１１と集熱器１２とで循環させられる。この循環により、熱媒は集熱器１２において加熱され、熱交換器１１において湯水を加熱することとなる。
【００２９】
また、ユーザがお湯張りをすべく浴槽の蛇口を捻るなどした場合には、給水配管１３から貯湯槽１０に対して冷水が供給される。この供給により、貯湯槽１０の給湯配管１４から湯水が送り出され、湯水が浴槽内に供給される。
【００３０】
また、浴槽内の残湯から熱回収を行う場合、三方弁１９は第２ルートを選択する。そして、ポンプ１７が動作し、浴槽内の残湯は行き配管１６ａを通じて第２熱交換器１５に至り、貯湯槽１０内の湯水との熱交換により熱回収され、その後、戻り配管１６ｂを通じて浴槽内に戻されることとなる。
【００３１】
図３は、本実施形態に係る貯槽システム１の動作を示す図であって、災害時などの断水が発生したときの動作を示している。なお、図３に示す太線の配管は湯水が流通する経路を示している。
【００３２】
図３に示すように、災害時に断水が発生した場合であっても電源が確保されている場合には、図２に示した例と同様に、ポンプが動作して熱媒が循環するため、貯湯槽１０内の湯水は加熱されることとなる。しかし、断水が発生しているため、水道圧を得ることができず、給湯配管１４から湯水を排出できなくなってしまう。
【００３３】
そこで、本実施形態に係る貯槽システム１は、三方弁１９により第１ルートを選択し、ポンプ１７を動作させる。これにより、貯湯槽１０の下部の湯水が分岐配管１８を介して熱回収配管１６に至る。そして、湯水は第２熱交換器１５に至り、その後、戻り配管１６ｂを通じて浴槽内に戻されることとなる。
【００３４】
このようにして、本実施形態に係る貯槽システム１によれば、一端が貯湯槽１０側に接続され他端が熱回収配管１６のうちポンプ１７の設置個所の上流側に接続された分岐配管１８と、分岐配管１８の他端側に設けられ、分岐配管１８を介して湯水を第２熱交換器１５に供給する第１ルートと、浴槽内の湯水を第２熱交換器１５に供給する第２ルートとを切替可能な三方弁１９とを備える。このため、断水時には切替弁１９により第１ルートを選択してポンプ１７を駆動させることで、分岐配管１８を通じて貯湯槽１０側の湯水が熱回収配管１６に至り、熱回収配管１６から浴槽内に供給されることとなる。よって、断水等の水道圧が得られない場合であっても、浴槽に湯水を給湯することができる。
【００３５】
特に、貯湯槽１０は太陽熱エネルギーを利用して湯水を加熱することから、断水時であっても貯湯槽１０内の湯水は加熱可能であり、加熱された湯水を浴槽内に提供することができる。また、ポンプ１７等は既存の貯槽システムに備えられているものであることから、既存のシステムに分岐配管１８と三方弁１９とを新たに追加すればよく、既存の構成を利用して比較的安価に上記貯槽システム１を実現することができる。
【００３６】
また、分岐配管１８は、一端が貯湯槽１０の底面、又は、貯湯槽１０の底面に接続される給水配管１３に接続されているため、大気圧により貯湯槽１０内の湯水を押し出すことができると共に、分岐配管１８の一端を貯湯槽１０の側面に取り付けた場合のように取付箇所の下側の湯水を利用できなくなってしまう事態を防止することができる。
【００３７】
次に、本発明の第２実施形態を説明する。第２実施形態に係る太陽熱利用システムは、第１実施形態のものと同様であるが、構成及び動作が一部異なっている。以下、第１実施形態との相違点について説明する。
【００３８】
図４は、第２実施形態に係る貯槽システム２の概略構成図である。図４に示すように、第２実施形態に係る貯槽システム２は、貯湯槽１０の内部に第２熱交換器１５を備えず、外部に第３熱交換器（熱交換器）２０を備えている。また、第２実施形態に係る貯槽システム２は、流通配管２１を備え、貯湯槽１０内の湯水を第３熱交換器２０に供給する。
【００３９】
さらに、第２実施形態において熱回収配管１６は、貯湯槽１０内まで伸びておらず、第３熱交換器２０に接続されている。よって、浴槽内の湯水は、行き配管１６ａを通じて第３熱交換器２０に至り、貯湯槽１０から流通配管２１を通じて第３熱交換器２０に供給される湯水と熱交換されることとなる。
【００４０】
なお、貯湯槽１０から流通配管２１を通じて第３熱交換器２０に湯水を供給する場合、ポンプ等の手段により湯水を供給してもよいし、可能であれば自然循環を利用してもよい。すなわち、第３熱交換器２０による熱交換により温度が上がった湯水が上側に移動することから、これを利用して、流通配管２１の下部側から湯水を引き入れ、温度上昇した湯水を流通配管２１の上部側から貯湯槽１０内に戻すようにしてもよい。
【００４１】
次に、第２実施形態に係る貯槽システム２の動作を説明する。図５は、第２実施形態に係る貯槽システム２の動作を示す図であって、断水等がない平常時における動作を示している。なお、図５に示す太線の配管は湯水が流通する経路を示している。
【００４２】
まず、貯湯槽１０においては、不図示の温度センサからの信号に応じてポンプが動作し、ポンプによって熱媒が熱交換器１１と集熱器１２とで循環させられる。この循環により、熱媒は集熱器１２において加熱され、熱交換器１１において湯水を加熱することとなる。
【００４３】
また、ユーザがお湯張りをすべく浴槽の蛇口を捻るなどした場合には、給水配管１３から貯湯槽１０に対して冷水が供給される。この供給により、貯湯槽１０の給湯配管１４から湯水が送り出され、湯水が浴槽内に供給される。
【００４４】
また、浴槽内の残湯から熱回収を行う場合、三方弁１９は第２ルートを選択する。そして、ポンプ１７が動作し、浴槽内の湯水は行き配管１６ａを通じて第３熱交換器２０に至り、貯湯槽１０内の湯水との熱交換により熱回収され、その後、戻り配管１６ｂを通じて浴槽内に戻されることとなる。
【００４５】
図６は、本実施形態に係る貯槽システム１の動作を示す図であって、災害時などの断水が発生したときの動作を示している。なお、図６に示す太線の配管は湯水が流通する経路を示している。
【００４６】
図６に示すように、災害時に断水が発生した場合であっても電源が確保されている場合には、図５に示した例と同様に、ポンプが動作して熱媒が循環するため、貯湯槽１０内の湯水は加熱されることとなる。しかし、断水が発生しているため、水道圧を得ることができず、給湯配管１４から湯水を排出できなくなってしまう。
【００４７】
そこで、本実施形態に係る貯槽システム１は、三方弁１９により第１ルートを選択し、ポンプ１７を動作させる。これにより、貯湯槽１０の下部の湯水が分岐配管１８を介して熱回収配管１６に至る。そして、湯水は第３熱交換器２０に至り、その後、戻り配管１６ｂを通じて浴槽内に戻されることとなる。
【００４８】
このようにして、第２実施形態に係る貯槽システム２によれば、第１実施形態と同様に、断水等の水道圧が得られない場合であっても、浴槽に湯水を給湯することができる。特に、断水時であっても貯湯槽１０内の湯水は加熱可能であり、加熱された湯水を浴槽内に提供することができると共に、既存の構成を利用して比較的安価に上記貯槽システム２を実現することができる。
【００４９】
また、大気圧により貯湯槽１０内の湯水を押し出すことができると共に、分岐配管１８の一端を貯湯槽１０の側面に取り付けた場合のように取付箇所の下側の湯水を利用できなくなってしまう事態を防止することができる。
【００５０】
次に、本発明の第３実施形態を説明する。第３実施形態に係る太陽熱利用システムは、第１実施形態のものと同様であるが、構成及び動作が一部異なっている。以下、第１実施形態との相違点について説明する。
【００５１】
図７は、第３実施形態に係る貯槽システム３の概略構成図である。図７に示すように、第３実施形態において第２熱交換器１５は、貯湯槽１０上部の湯水と浴槽内の湯水とを熱交換するように、貯湯槽１０の上部に設けられている。また、第３実施形態では、熱回収配管１６に代えて、再加熱配管（循環配管）２２を備えている。
【００５２】
再加熱配管２２は、熱回収配管１６と同様に、行き配管２２ａと戻り配管２２ｂとからなり、行き配管２２ａを通じて浴槽内の湯水を第２熱交換器１５に供給すると共に、第２熱交換器１５を経た湯水を戻り配管２２ｂを通じて浴槽内に戻す構成となっている。
【００５３】
さらに、第３実施形態に係る貯槽システム３は、第２熱交換器１５が貯湯槽１０の上部に設けられていることから、浴槽内の残湯の熱回収を行うのではなく、浴槽内の冷却した湯水を再加熱（追い焚き）する。すなわち、第３実施形態では、浴槽内の湯水が貯湯槽１０の上部という加熱された湯水と第２熱交換器１５にて熱交換されるため、浴槽内の湯水は第２熱交換器１５において加熱されることとなり、追い焚きが実現されることとなる。
【００５４】
次に、第３実施形態に係る貯槽システム３の動作を説明する。図８は、本実施形態に係る貯槽システム３の動作を示す図であって、断水等がない平常時における動作を示している。なお、図８に示す太線の配管は湯水が流通する経路を示している。
【００５５】
まず、貯湯槽１０においては、不図示の温度センサからの信号に応じてポンプが動作し、ポンプによって熱媒が熱交換器１１と集熱器１２とで循環させられる。この循環により、熱媒は集熱器１２において加熱され、熱交換器１１において湯水を加熱することとなる。
【００５６】
また、ユーザがお湯張りをすべく浴槽の蛇口を捻るなどした場合には、給水配管１３から貯湯槽１０に対して冷水が供給される。この供給により、貯湯槽１０の給湯配管１４から湯水が送り出され、湯水が浴槽内に供給される。
【００５７】
また、ユーザが浴槽内の湯水の再加熱を望む場合、三方弁１９は第２ルートを選択する。そして、ポンプ手段１７が動作し、浴槽内の湯水は行き配管２２ａを通じて第２熱交換器１５に至り再加熱され、その後、戻り配管２２ｂを通じて浴槽内に戻されることとなる。
【００５８】
図９は、第３実施形態に係る貯槽システム３の動作を示す図であって、災害時などの断水が発生したときの動作を示している。なお、図９に示す太線の配管は湯水が流通する経路を示している。
【００５９】
図９に示すように、災害時に断水が発生した場合であっても電源が確保されている場合には、図８に示した例と同様に、ポンプが動作して熱媒が循環するため、貯湯槽１０内の湯水は加熱されることとなる。しかし、断水が発生しているため、水道圧を得ることができず、給湯配管１４から湯水を排出できなくなってしまう。
【００６０】
そこで、本実施形態に係る貯槽システム１は、三方弁１９により第１ルートを選択し、ポンプ１７を動作させる。これにより、貯湯槽１０の下部の湯水が分岐配管１８を介して再加熱配管２２に至る。そして、湯水は第２熱交換器１５に至り、その後、戻り配管２２ｂを通じて浴槽内に戻されることとなる。しかも、湯水は第２熱交換器１５を通過することから、貯湯槽１０の下部の比較的温度が低い湯水は、貯湯槽１０の上部の比較的温度が高い湯水と熱交換されることとなり、加熱された上で浴槽内に供給されることとなる。
【００６１】
このようにして、第３実施形態に係る貯槽システム３によれば、第１実施形態と同様に、断水等の水道圧が得られない場合であっても、浴槽に湯水を給湯することができる。特に、断水時であっても貯湯槽１０内の湯水は加熱可能であり、加熱された湯水を浴槽内に提供することができると共に、既存の構成を利用して比較的安価に上記貯槽システム３を実現することができる。
【００６２】
また、大気圧により貯湯槽１０内の湯水を押し出すことができると共に、分岐配管１８の一端を貯湯槽１０の側面に取り付けた場合のように取付箇所の下側の湯水を利用できなくなってしまう事態を防止することができる。
【００６３】
さらに、第３実施形態によれば、貯湯槽１０は太陽熱エネルギーを利用して湯水を加熱することから、断水時であっても貯湯槽１０の上部の湯水は加熱されており、このような湯水と浴槽内の湯水を熱交換することにより、浴槽内の湯水を追い焚きすることができる。
【００６４】
以上、実施形態に基づき本発明を説明したが、本発明は上記実施形態に限られるものではなく、本発明の趣旨を逸脱しない範囲で、変更を加えてもよいし、各実施形態を組み合わせてもよい。
【００６５】
例えば、本実施形態において貯湯槽１０内の湯水は熱媒を介して加熱されているが、特にこれに限らず、熱媒を利用せず、集熱器１２によって直接冷水を加熱するものであってもよい。
【００６６】
さらに、貯湯槽１０は、太陽熱エネルギーを利用して内部の湯水を加熱する構成であるが、これに限らず、風力、波力・潮力、流水・潮汐、地熱、バイオマス等の他の再生可能エネルギーによって加熱する構成であってもよい。
【００６７】
また、第３実施形態に係る貯湯システム３は、第１実施形態と同様に第２熱交換器１５を備えているが、これに限らず、第２実施形態と同様に第３熱交換器２０を備えていてもよい。なお、この場合において、第３熱交換器２０は、貯湯槽１０の上部の湯水を引き込んで、浴槽内の湯水を熱交換することとなる。
【符号の説明】
【００６８】
１〜３…貯槽システム
１０…貯湯槽
１１…熱交換器
１２…集熱器
１３…給水配管
１４…給湯配管
１５…第２熱交換器（熱交換器）
１６…熱回収配管（循環配管）
１６ａ…行き配管
１６ｂ…戻り配管
１７…ポンプ
１８…分岐配管
１９…三方弁（切替弁）
２０…第３熱交換器（熱交換器）
２１…流通配管
２２…再加熱配管（循環配管）
【図１】
2015040686.tif 000003
【図２】
2015040686.tif 000004
【図３】
2015040686.tif 000005
【図４】
2015040686.tif 000006
【図５】
2015040686.tif 000007
【図６】
2015040686.tif 000008
【図７】
2015040686.tif 000009
【図８】
2015040686.tif 000010
【図９】
2015040686.tif 000011